(57)【要約】【課題】折り曲げ光学系の撮影光学部を搭載した携帯型撮像機器で使い勝手を損なうことなく機器本体の小型化を図った携帯型撮像機器を提供する。【解決手段】デジタルカメラ１の本体筐体３は正面部を分割線２で固定筐体４と移動筐体５に分けられ移動筐体５には背面に画像表示部１３が設けられ内部に前面レンズ１７と入射光軸Ｏ１を折り曲げる反射鏡１８を有する移動光学部１４が設けられる。固定筐体４には上面にレリースボタン７、再生ボタン８、撮影ボタン９、及び把持部６の側面にジョグダイヤル１１、吊り輪１２が設けられ、内部に折り曲げ光軸Ｏ２の映像が結像する撮像素子１９を有する固定光学部１５が設けられる。移動筐体５が固定筐体４側に移動すると全体が縮小されて携帯時の沈胴状態となり、移動筐体５が固定筐体４から矢印ａ方向に引き出されると全体が拡張されて撮影時の撮影可能状態となる。  【選択図】      図２
2006301354.tif 000002
【特許請求の範囲】
【請求項１】
夫々内部を保護し外観の一部を形成する固定筐体と移動筐体とから成る本体筐体と、
入射光軸を含み入射する光線を折り曲げる反射部を有し前記移動筐体内に配設された第１光学部と前記反射部により折り曲げられた光軸を含み撮像素子を有し前記固定筐体内に配設された第２光学部とから成る撮影光学部と、
を備え、
前記撮影光学部は、前記固定筐体に対する前記移動筐体の移動により形成される前記第１光学部と前記第２光学部との間隔変化により、沈胴状態と撮影可能状態に切り換わることを特徴とする携帯型撮像装置。
【請求項２】
前記撮影光学部は、前記反射部によって折り曲げられた光軸が前記本体筐体の底面に平行になるように配置され、前記移動筐体は、前記固定筐体に対し前記本体筐体の底面に平行な方向に滑動移動することを特徴とする請求項１記載の携帯型撮像機器。
【請求項３】
前記移動筐体は、前記本体筐体の握り部側とは逆側に滑動移動することを特徴とする請求項２記載の携帯型撮像機器。
【請求項４】
前記移動筐体は、前記第１光学部を前記沈胴状態では前記第２光学部に接近させ、前記撮影可能状態では前記第２光学部から離隔させるように前記固定筐体に対して移動することを特徴とする請求項３記載の携帯型撮像機器。
【請求項５】
前記第１光学部に含まれ最前面に配置されるレンズは、前記沈胴状態で固定筐体の前面部により保護され、前記撮影可能状態で前記前面部より開放されることを特徴とする請求項１記載の携帯型撮像機器。
【請求項６】
前記移動筐体は、前記沈胴状態で前記固定筐体と連続して装置前面外観を形成する移動前面部と、該移動前面部に隣接して設けられ前記第１光学部に含まれる前面レンズが配置されるレンズ配置面を有し、該レンズ配置面は、前記沈胴状態では前記固定筐体内部に保護され、前記撮影可能状態では前記固定筐体内部より引き出されて外部に露出されることを特徴とする請求項１乃至４のいずれかに記載の携帯型綬像機器。
【請求項７】
前記移動筐体は、前記レンズ配置面の前記前面レンズの近傍にストロボ窓を備えることを特徴とする請求項６記載の携帯型撮像機器。
【請求項８】
前記移動筐体は、前記本体筐体背面において撮影画像を表示する画像表示部を有することを特徴とする請求項１乃至７のいずれかに記載の携帯型撮像機器。
【請求項９】
前記移動筐体は、前記沈胴状態の位置で前記画像表示部の裏面の部分で固定筐体背面に設けられる操作部を保護し、撮影可能状態の位置で前記操作部を露出させることを特徴とする請求項８記載の携帯型撮像機器。
【請求項１０】
前記操作部は、撮影時に使用される操作部であることを特徴とする請求項９記載の携帯型撮像機器。
【請求項１１】
前記換作部は、表示タッチ式入力部であることを特徴とする請求項９記載の携帯型撮像機器。
【請求項１２】
前記沈胴状態で画像再生に関する指示を行う画像再生操作部を有することを特徴とする請求項１乃至１１のいずれかに記載の携帯型撮像機器。
【請求項１３】
請求項１乃至１２のいずれかに記載の携帯型撮像機器によって構成されることを特徴とするデジタルカメラ。
【発明の詳細な説明】
【技術分野】
【０００１】
本発明は、本体筐体のサイズを伸縮させることにより小型化と操作性の両立を図る携帯型撮像機器に関する。
【背景技術】
【０００２】
従来、例えばカメラのような携帯型撮像機器では、携帯性の向上のために、機器本体の薄型化が追求されている。撮像機器の機器本体の薄型化のためには、撮影レンズから結像部までの撮影光軸が直線に沿って進入する直線光学系よりも、撮影レンズから結像部までに至る撮影光軸が途中で折れ曲がる折り曲げ光学系が適している。
【０００３】
したがって、そのような折り曲げ光学系の撮影光学部を搭載したカメラが提案されているが、中でも、薄型化に加えて機器本体の高さも低くするために折り曲げ光学系を機器本体の左右方向に沿って横に配置したカメラが提案されている。（例えば、特許文献１参照）。
【０００４】
また、折り曲げ光学系の撮影光学部を搭載したカメラで、さらに機器本体の厚さを薄くするために、前面側のレンズを移動式にして携帯時には前面側のレンズを引っ込ませておく沈胴式の折り曲げ光学系カメラも提案されている。（例えば、特許文献２参照）。
【０００５】
一方、機器本体を単に小さくすることを追求すると、却って使い勝手を損なってしまう虞があるので、機器本体の筐体の一部をスライド可能にして、携帯時にはスライド部を圧縮して小型にし、使用時にはスライド部を拡張させて適当なサイズになるカメラが提案されている。これは、例えば、グリップ部と前面部と背面部から構成され、カメラ本体に対してスライド移動するスライドカバーを備えて、このスライドカバーにより携帯時に前面のレンズ部と背面の換作部を保護するようになってなっている。（例えば、特許文献３参照）。
【特許文献１】特開２００２−３５０９５０号公報（［要約］、図１）
【特許文献２】特開２００３−１６９２３６号公報（［要約］、図４）
【特許文献３】特開平１１−０６４９２８号公報（［要約］、図１）
【発明の開示】
【発明が解決しようとする課題】
【０００６】
ところで、上記特許文献１に示されるカメラは、折り曲げ光学系を横にして配置したことで機器本体の高さは低くできるが、その分カメラの幅寸法が長くなってしまうという問題が発生する。機器本体の横幅が長いのは、携帯上で不利であると考えられるのが一般的である。
【０００７】
また、上記特許文献２に示される沈胴光学系の撮影光学部は、折り曲げ前の光軸を伸縮させる構成なので、沈胴による短縮量が小さく、したがって沈胴効果も少ない。
また、特許文献３に示されるカメラは、携帯時にボディの横幅を短縮させることのできるカメラであるが、撮影レンズを保護するためだけのスライドカバーを設けているだけなので、これを特許文献１の機器本体の横幅そのものが長くなる光学系を備えたカメラに適用しても、機器本体の小型化には有効に適用できない。
【０００８】
本発明の課題は、上記従来の実情に鑑み、折り曲げ光学系の撮影光学部を搭載した携帯型撮像機器で使い勝手を損なうことなく機器本体の小型化を図った携帯型撮像機器を提供することである。
【課題を解決するための手段】
【０００９】
先ず、第１の発明の携帯型撮像装置は、夫々内部を保護し外観の一部を形成する固定筐体と移動筐体とから成る本体筐体と、入射光軸を含み入射する光線を折り曲げる反射部を有し上記移動筐体内に配設された第１光学部と上記反射部により折り曲げられた光軸を含み撮像素子を有し上記固定筐体内に配設された第２光学部とから成る撮影光学部と、を備え、上記撮影光学部は、上記固定筐体に対する上記移動筐体の移動により形成される上記第１光学部と上記第２光学部との間隔変化により、沈胴状態と撮影可能状態に切り換わるように構成される。
【００１０】
この携帯型撮像装置において、例えば、上記撮影光学部は、上記反射部によって折り曲げられた光軸が上記本体筐体の底面に平行になるように配置され、上記移動筐体は、上記固定筐体に対し上記本体筐体の底面に平行な方向に滑動移動するように構成される。
【００１１】
また、この場合、上記移動筐体は、例えば上記本体筐体の握り部側とは逆側に滑動移動するように構成され、また、例えば上記第１光学部を、上記沈胴状態では上記第２光学部に接近させ、上記撮影可能状態では上記第２光学部から離隔させるように上記固定筐体に対して移動するように構成される。
【００１２】
また、この携帯型撮像装置において、例えば上記第１光学部に含まれ最前面に配置されるレンズは、上記沈胴状態で本体筐体の前面部により保護され、上記撮影可能状態で上記前面部より開放されるように構成される。
【００１３】
また、上記移動筐体は、例えば上記沈胴状態で上記固定筐体と連続して装置前面外観を形成する移動前面部と、該移動前面部に隣接して設けられ上記第１光学部に含まれる前面レンズが配置されるレンズ配置面を有し、該レンズ配置面は、上記沈胴状態では上記固定筐体内部に保護され、上記撮影可能状態では上記固定筐体内部より引き出されて外部に露出されるように構成される。
【００１４】
また、この携帯型撮像装置において、上記移動筐体は、例えば上記レンズ配置面の上記前面レンズの近傍にストロボ窓を備えるようにしてもよく、また、例えば上記本体筐体背面において撮影画像を表示する画像表示部を有するように構成するのが好ましい。
【００１５】
また、上記移動筐体は、例えば上記沈胴状態の位置で上記画像表示部の裏面の部分で固定筐体背面に設けられる操作部を保護し、撮影可能状態の位置で上記操作部を露出させるように構成される。
【００１６】
この場合、上記操作部は、例えば撮影時に使用される操作部であることが好ましく、また、表示タッチ式入力部で構成しても良い。
また、この携帯型撮像機器は、上記沈胴状態で画像再生に関する指示を行う画像再生操作部を有するように構成される。
【００１７】
次に、第２の発明のデジタルカメラは、上記携帯型撮像機器で構成される。
【発明の効果】
【００１８】
本発明によれば、折り曲げ光学部の撮影レンズを搭載する携帯型撮像機器で、携帯時の小型化が実現される。
【発明を実施するための最良の形態】
【００１９】
以下、本発明の実施の形態を図面を参照しながら説明する。
【実施例１】
【００２０】
図１は、第１の実施形態におけるデジタルカメラの外観図である。図１は、上から二段目中央に、デジタルカメラ１の正面図を示し、その上下左右にそれぞれ上面図、下面図、正面から見た左側面図、右側面図を示し、最下段に背面図を示している。尚、図１は、デジタルカメラ１の携帯時の状態つまり縮小時の状態を示している。
【００２１】
図１に示すように、デジタルカメラ１は、正面部を分割線２で左右に分割される本体筐体３を備え、本体筐体３は、固定筐体４及び移動筐体５とで構成される。尚、上面図、正面図、下面図では、移動筐体５の部分をハッチングで示している。
【００２２】
尚、固定筐体４と移動筐体５は滑動して相対的に移動する構成となっているが、把持部６を形成し且つ後述する複雑な撮影条件を設定する操作部を備えている筐体側を固定筐体４とし、把持部ではなく且つ複雑な動作部を持たない筐体側を移動筐体５としている。
【００２３】
図１に示すように、固定筐体４は、前面は内部保護壁であり外観的には何も設けられていない。そして、固定筐体４の上面には、レリースボタン７、再生モードを指示する再生ボタン８、撮影モードを指示する撮影ボタン９が設けられ、把持部６側の側面にはジョグダイヤル１１と吊り輪１２が配設されている。
【００２４】
他方、移動筐体５は、本体筐体３の背面において、撮影画像を表示する画像表示部１３を備えている。そして、この移動筐体５には、外観的には背面の画像表示部１３が在るのみで他には何も設けられていない。
【００２５】
すなわち、移動筐体５は、携帯時の状態で外観構成で見るときは、殆ど固定筐体４に対して滑動移動させるための構成のみとなっており、画像表示部１３に画像を表示する機能以外の機能は備えていないように見える。
【００２６】
図２は、デジタルカメラ１の撮影時つまり拡張時の状態と携帯時つまり縮小時の状態を対比して示す図である。図２は、最上段に、デジタルカメラ１の撮影時の状態を上面から見て撮影光学部を光軸面で断面した図で示している。そして、最下段に撮影時の対応する正面図を示している。
【００２７】
次に、図２の２段目は携帯時の状態を上記最上段の図と同様な断面図で示し、三段目に携帯時の正面図を示している。また、三段目に示す携帯時の正面図には、移動筐体５側に配設されて撮影時に外部に露出する構成（レンズ窓２０、ストロボ窓２３、セルフタイマタイミング表示灯２４）を破線で示している。また、図２には図１に示した構成と同一構成部分には図１と同一の番号を付与して示している。
【００２８】
図２の最上段と２段目に示すように、デジタルカメラ１は、本体筐体３内に、移動筐体５内に配設された第１光学部としての移動光学部１４と、固定筐体４内に配設された第２光学部としての固定光学部１５とから成る撮影光学部１６を備えている。
【００２９】
移動筐体５に備えられる移動光学部１４は、被写体側に最も近い最前面のレンズである前面レンズ１７と、この前面レンズ１７に入射する撮影光の入射光軸Ｏ１を含み、その入射する光軸Ｏ１を折り曲げる反射部としての反射鏡１８を備えている。上記の前面レンズ１７はレンズ窓２０により保護されている。
【００３０】
他方の固定筐体４に備えられる固定光学部１５は、上記の反射鏡１８により折り曲げられた光軸Ｏ２を含み、最端部に撮像素子１９を備えている。
尚、上記折り曲げられた光軸Ｏ２の光路上には、移動筐体５及び固定筐体４にそれぞれ配設された組レンズ２１及び２２が配置されている。
【００３１】
撮影光学部１６は、固定筐体４に対する移動筐体５の矢印ａで示す拡張方向、又は拡張時の状態から矢印ａの反対方向となる縮小方向への移動により、移動光学部１４と固定光学部１５の間隔が変化する。これにより、撮影光学部１６は、移動筐体５の縮小方向への移動時には沈胴状態となり、移動筐体５の拡張方向への移動時には撮影可能状態に切り換わる。
【００３２】
この撮影光学部１６は、反射鏡１８によって折り曲げられた光軸Ｏ２が本体筐体３の底面に平行になるように配置され、移動筐体５は、固定筐体４に対し本体筐体３の底面に平行な方向に滑動移動する。また、移動筐体５は、本体筐体３の握り部としての把持部６側とは逆側で滑動移動する。
【００３３】
更に他の状態で言い表せば、移動筐体５は、移動光学部１４を沈胴状態では固定光学部１５に接近させ、撮影可能状態では固定光学部１５から離隔させるように固定筐体４に対して移動する、ということができる。
【００３４】
また、移動筐体５は、図２の２段目及び３段目に示すように、沈胴状態では固定筐体４と連続して装置前面外観を形成する移動前面部５−１を備えている。そして、図２の下段に示すように、その移動前面部５−１に隣接して、かつ移動前面部５−１の面から一段へこんでレンズ配置面５−２が連設されている。
【００３５】
このレンズ配置面５−２は、図２の２段目及び３段目に示すデジタルカメラ１の沈胴状態では固定筐体４内部に保護され、図２の上段及び下段に示すデジタルカメラ１が撮影可能状態に切り換わったときには固定筐体４内部より引き出されて外部に露出される。
【００３６】
また、上記のレンズ配置面５−２には、図２の上段及び２段目に示す移動光学部１４に所属する構成部材である前面レンズ１７が配置される。
また、このレンズ配置面５−２には、前面レンズ１７の近傍（図２の下段に示す例では上方近傍）にストロボ窓２３が配置され、下方近傍にはセルフタイマ・タイミング表示灯２４が配置されている。
【００３７】
上記の構成により、移動光学部１４に含まれ且つデジタルカメラ１の最前面に配置されるレンズすなわち前面レンズ１７は、沈胴状態で本体筐体１６の前面部により保護され、撮影可能状態で上記前面部より開放される、ということができる。
【００３８】
図３は、上記デジタルカメラ１の背面の外観構成とその動作状態を示す図である。図３は、上に図１の下段に示したデジタルカメラ１の沈胴状態（縮小状態）を再掲して示し、下に撮影可能状態（拡張状態）を示している。
【００３９】
図３の下に示すように、デジタルカメラ１は、撮影可能状態では、固定筐体４の把持部６側端部裏面に配設されている操作部２５が外部に露出する。すなわち、移動筐体５は、図３の上に示す沈胴状態の位置では、画像表示部１３の裏面の部分で固定筐体４背面に設けられる操作部２５を保護し、撮影可能状態の位置では、操作部２５を露出させる。
【００４０】
この操作部２５は、撮影時に使用される操作部であり、この操作部２５には、上端部にズームボタン２６が配設され、中央部やや下方寄りにＸＹ操作ボタン２７が配設され、下端部にはメニュー表示ボタン２８と表示切替ボタン２９が配設されている。
【００４１】
ズームボタン２６は、左右へ倒れるシーソー形式で、例えば右側を押すと望遠にズームし、左側を押すとワイドにズームする。ＸＹ操作ボタン２７は、メニュー表示ボタン２８の操作によって画像表示部１３に種々の撮影条件を示すメニュー画面が現われたとき、カーソルを上下（Ｙ方向）左右（Ｘ方向）に移動させて所望のメニューを選択し、選択したメニューを確定させるためのボタンである。表示切替ボタン２９は、画像表示部１３の表示画面を撮影画面と再生画面に切り換えるボタンである。
【００４２】
図４は、上記デジタルカメラ１の内部システムブロック図である。図４に示すように、デジタルカメラ１は、固定筐体４と移動筐体５に分かれている。
移動筐体５には、撮影光が入射する前面レンズ１７とその入射光軸Ｏ１を折り曲げる反射鏡１８とを含む移動光学部１４、及び図１乃至図３に示した画像表示部１３を備えている。
【００４３】
固定筐体４は、装置各部を制御するＣＰＵ(central processing unit）３０と、このＣＰＵ３０にバス３１を介して接続された画像メモリ３２、撮像部３３、表示処理部３４を備えている。また、バス３１には、移動筐体５の画像表示部１３がフレキシブル基板３５を介して接続されている。
【００４４】
また、ＣＰＵ３０には、上記の他に背面操作部３６、上面操作部３７、ＲＯＭ（read-only-memory）３８、ストロボ部３９、及び移動筐体位置検出部４１が直接接続されている。また、撮像部３３には、固定光学部１５の撮像素子１９が接続されている。
【００４５】
上記の移動筐体位置検出部４１は、デジタルカメラ１が沈胴状態のときの移動筐体５の位置とデジタルカメラ１が撮影可能状態のときの移動筐体５の位置とを検出して、その検出データをそれぞれＣＰＵ３０に通知する。
【００４６】
ＣＰＵ３０は、移動筐体５の移動位置が沈胴状態の位置にあることを移動筐体位置検出部４１から通知されると、不図示の電源部から各部に供給される電力を切断し、移動筐体５の移動位置が撮影可能状態の位置にあることを移動筐体位置検出部４１から通知されると、電源部から各部への電力の供給を開始する。そして、ＣＰＵ３０は、カメラを撮影スタンバイ状態にする。
【００４７】
背面操作部３６は、図３の下に示した操作部２５に配置されている各操作ボタン（ズームボタン２６、ＸＹ操作ボタン２７、メニュー表示ボタン２８）からの入力操作イベントをＣＰＵ３０に通知する。
【００４８】
上面等操作部３７は、図１に示した固定筐体４の上面及び左側面に配置されている各操作ボタン（レリースボタン７、再生ボタン８、撮影ボタン９、ジョグダイヤル１１）からの入力操作イベントをＣＰＵ３０に通知する。ジョグダイヤル１１は再生モード時には画像表示部１３へ表示される画像の切換に用いられる。再生ボタン８とジョグダイヤル１１からなる画像再生操作部は、沈胴状態でも使用できる位置に配置されている。
【００４９】
ＲＯＭ３８は、撮影モードにおける処理プログラムや再生モードにおける処理プログラム等を記憶する。
ＣＰＵ３０は、背面操作部３６や上面等操作部３７から通知される入力操作イベントに応じて、指定の処理モード（撮影モード又は再生モード）の処理プログラムをＲＯＭ３８から読み出し、その読み出したプログラムに従って各部を制御する。
【００５０】
ストロボ部３９は、ストロボ発光が入力指示されたとき、又は撮影条件に応じて自動設定されたとき、レリースボタン７の操作に連動し、撮影タイミングに合わせて、ストロボ窓２３の背後に配設されているストロボ光源を発光駆動する。
【００５１】
固定光学部１５の撮像素子１９は、組レンズ２２を通して撮像面に結像される映像をアナログ電気信号に変換して撮像部３３に出力する。撮像部３３は、撮像素子１９から入力するアナログ電気信号をデジタル画像信号に変換する。
【００５２】
画像処理部３４は、デジタル画像信号に基づく画像を画像表示部１３に表示するための表示装置又は記録用の画像処理を行う。
上記のように、第１の実施形態によれば、機器本体の高さを低く構成することができる。また、撮影時のスライド方向が把持する側と逆なので、撮影に支障がない。また、撮像素子を有する第２光学部が固定側に配置されるので配線その他による内部の複雑化を防止でき、小型化に有利である。
【００５３】
また、沈胴状態では撮影レンズが保護されるので携帯に安心である。また、操作部が専用に設けられているので様々で多々ある撮影条件の設定でも容易にできて便利である。
【実施例２】
【００５４】
図５は、第２の実施形態におけるデジタルカメラの背面の外観図である。図５は、上に沈胴状態時の外観を示し、下に撮影可能状態時の外観を示している。
本例のデジタルカメラ１´において、沈胴状態時及び撮影可能状態時における表面の外観及び内部の撮影光学部１６の構成は、図１及び図２に示した表面の外観及び撮影光学部１６の構成と同一である。したがって、図５において、図１及び図２に示した構成と同一の構成部分には図１及び図２と同一の番号を付与して示している。
【００５５】
本例のデジタルカメラ１´においては、図５の下に示すように、移動筐体５が背面左方に移動して撮影可能状態となり、固定筐体４の把持部６側端部裏面で外部に露出する操作部４２は、表示タッチ式入力装置で構成されている。
【００５６】
この操作部４２には、上端部にズームアイコン４３が表示され、中央部やや下方寄りにＸＹ操作アイコン４４が表示され、左下端部にメニューアイコン４５が表示されている。
上記のズームアイコン４３、又はＸＹ操作アイコン４４は、それぞれのアイコンがタッチされることによって、図３の下に示したズームボタン２６、又はＸＹ操作ボタン２７が入力操作されたときと同様に機能する。本例では、更に、ＸＹ操作アイコン４４の内側に、上にストロボアイコン、下に露出補正アイコン、左にセルルタイマアイコン、右に接写アイコンがそれぞれ表示されている。
【００５７】
また、メニューアイコン４５は、タッチされることによって、操作部４２に表示されるタッチ入力画面を他のメニュー画面に切り換える。
また、本例のデジタルカメラ１´では、固定筐体４の把持部６裏面に、沈胴状態時でも外部に露出したままとなる表示切替ボタン４６が配設されている。
この表示切替ボタン４６は、図３の下に示した表示切替ボタン２９と同様に、画像表示部１３の表示画面を撮影画面と再生画面に切り換えるボタンである。
【００５８】
すなわち、本例のデジタルカメラ１´は、沈胴状態で画像再生に関する指示を行う画像再生操作部を備えている。
図６は、上記デジタルカメラ１´の内部システムブロック図である。図６に示す構成は、図４に示した第１の実施形態におけるデジタルカメラ１の内部システムブロック図における背面操作部３６が、表示切替操作部４７と表示タッチ式入力部４８とに置き換えられており、その他各部の構成は、図４の場合と同一である。
【００５９】
本例において、表示切替操作部４７は、表示切替ボタン４６の入力操作イベントをＣＰＵ３０に通知する。表示タッチ式入力部４８は、操作部４２に表示されるタッチ入力画面からのタッチ座標データをＣＰＵ３０に通知する。
【００６０】
尚、沈胴時に前面レンズ部を固定筐体で覆って外部から遮蔽するようにしているが、これに限ることなく、沈胴時に前面レンズ部が外部に露出したままでもよい。
また、第２光学部に対して第１光学部を移動させるようにしているが、これに限ることなく、第１光学部に対して第２光学部を移動させるようにしてもよい。
【００６１】
また、携帯型撮像装置として、デジタルカメラを例にとって説明しているが、これに限ることなく、ビデオムービー、携帯電話、ＰＤＡ等に適用できることは言うまでもない。
【図面の簡単な説明】
【００６２】
【図１】第１の実施形態におけるデジタルカメラの外観図である。
【図２】第１の実施形態におけるデジタルカメラの撮影時（拡張時）の状態と携帯時（縮小時）の状態を示す図である。
【図３】第１の実施形態におけるデジタルカメラの背面の外観構成とその動作状態を示す図である。
【図４】第１の実施形態におけるデジタルカメラの内部システムブロック図である。
【図５】第２の実施形態におけるデジタルカメラの背面の外観図である。
【図６】第２の実施形態におけるデジタルカメラの内部システムブロック図である。
【符号の説明】
【００６３】
１      デジタルカメラ
２      分割線
３      本体筐体
４      固定筐体
５      移動筐体
６      把持部
７      レリースボタン
８      再生ボタン
９      撮影ボタン
１１    ジョグダイヤル
１２    吊り輪
１３    画像表示部
１４    移動光学部
１５    固定光学部
１６    撮影光学部
１７    前面レンズ
１８    反射鏡
Ｏ１    入射光軸
Ｏ２    折り曲げ光軸
１９    撮像素子
２０    レンズ窓
２１、２２  組レンズ
２３    ストロボ窓
２４    セルフタイマ・タイミング表示灯
２５    操作部
２６    ズームボタン
２７    ＸＹ動作ボタン
２８    メニュー表示ボタン
２９    表示切替ボタン
３０    ＣＰＵ(central processing unit）
３１    バス
３２    画像メモリ
３３    撮像部
３４    画像処理部
３５    フレキシブル基板
３６    背面操作部
３７    上面操作部
３８    ＲＯＭ（read-only-memory）
３９    ストロボ部
４１    移動筐体位置検出部
４２    操作部
４３    ズームアイコン
４４    ＸＹ操作アイコン
４５    メニューアイコン
４６    表示切替ボタン
４７    表示切替操作部
４８    表示タッチ式入力部
【図１】
2006301354.tif 000003
【図２】
2006301354.tif 000004
【図３】
2006301354.tif 000005
【図４】
2006301354.tif 000006
【図５】
2006301354.tif 000007
【図６】
2006301354.tif 000008